(57)【特許請求の範囲】
【請求項１】
荷支持台の側辺に起伏自在に取り付けられたメッシュ構造の下側パネル部と、この下側パネル部の上側辺にヒンジにより起伏自在に取り付けられたメッシュ構造の上側パネル部とから構成されている荷役用パレットのゲートパネルであって、前記ヒンジが、下側パネル部の上側辺長さ方向適当間隔おきに配設された複数個のヒンジ単体から構成され、各ヒンジ単体は、上側パネル部の隣り合う２本の縦線材間において当該上側パネル部の下側辺の横線材にかぶさる倒立Ｕ字形板から成り、この倒立Ｕ字形板の前後両側板部が、上側パネル部の下側辺の横線材を下側パネル部の上側辺の横線材で支持する領域に規制するように、下側パネル部の上側辺に固着されている荷役用パレットのゲートパネルにおいて、
下側パネル部の上側辺の横線材は、当該下側パネル部の各縦線材の上端の外側にのみ配設され、各ヒンジ単体の倒立Ｕ字形板は、その前側板部よりも後側板部の方が長く且つ左右両側辺が下側パネル部の縦線材に固着される後側板部の下半部に対し、上側パネル部の下側辺の横線材にかぶさる部分の横幅が狭くなっており、当該倒立Ｕ字形板の前側板部の下辺が下側パネル部の上側辺の横線材の外側に固着されると共に、後側板部の前記下半部の左右両側辺が、下側パネル部の隣り合う２本の縦線材の外側に重なるのではなく当該２本の縦線材間に嵌まり込んだ状態で当該２本の縦線材に固着されている、荷役用パレットのゲートパネル。
【発明の詳細な説明】
【技術分野】
【０００１】
本発明は、各種荷役用パレットが備える開閉自在なゲートパネルに関するものである。
【背景技術】
【０００２】
開閉自在なゲートパネルを、荷支持台の側辺に前後起伏自在に取り付けられたメッシュ構造の下側パネル部と、この下側パネル部の上側辺にヒンジにより起伏自在に取り付けられたメッシュ構造の上側パネル部とから構成して成る荷役用パレットは、特許文献１などによって従来周知であるが、従来のこの種の荷役用パレットのゲートパネルでは、特許文献１にも示されるように、下側パネル部の上側辺と上側パネル部の下側辺とを連結するヒンジがコイル材から構成されていた。即ち、上下両パネル部がメッシュ構造であるため、下側パネル部の上側辺の横線材と上側パネル部の下側辺の横線材とを内包するようにコイル材をこれら横線材に沿って回転させながら外嵌させてヒンジを構成することができる。
【特許文献１】特開２００４−１３１１０５号公報
【発明の開示】
【発明が解決しようとする課題】
【０００３】
従って、コイル材でヒンジを構成する従来の方法であれば、溶接やリベットによる固着手段を併用することなくヒンジ構造を構成することができるのであるが、コイル材の内径を必要最小限に抑えても、当該コイル材自体も下側パネル部側の横線材の周りで前後に揺動できるので、結果的に下側パネル部側の横線材に対して上側パネル部側の横線材が前後に相対移動することを阻止できないので、上側パネル部側の横線材が下側パネル部側の横線材の上から内外何れかに落ちて上側パネル部の円滑な開閉動作ができなくなる恐れがある。この問題点を解消するために従来は、下側パネル部の上側辺の横線材を、各縦線材の上端を前後から挟むように前後２列に配設して下側パネル部の上側辺の厚みを増大させ、以って下側パネル部側の横線材の周りでコイル材が前後に揺動する余裕を実質的に無くすことが試みられているが、上側パネル部側の横線材が下側パネル部側の横線材の上から前後何れかに落ち込むのを防止することはできても、上側パネル部の下側辺の前後方向のガタを少なくすることはできない。又、上下両パネル部のコイル材軸心方向の相対移動をコイル材で完全に抑制することができないので、コイル材とは別に、上下両パネル部のコイル材軸心方向の相対移動を阻止するための別部材も必要になり、上記のように下側パネル部の上側辺の横線材を前後２列にしなければならないことと相俟って、使用部材（材料量）も多い。
【課題を解決するための手段】
【０００４】
本発明は上記のような従来の問題点を解消し得る荷役用パレットのゲートパネルを提供することを目的とするものであって、係る本発明の荷役用パレットのゲートパネルは、後述する実施形態の参照符号を付して示すと、荷支持台１の側辺に起伏自在に取り付けられたメッシュ構造の下側パネル部５ａと、この下側パネル部５ａの上側辺にヒンジ１２により起伏自在に取り付けられたメッシュ構造の上側パネル部５ｂとから構成されている荷役用パレットのゲートパネル５であって、前記ヒンジ１２が、下側パネル部５ａの上側辺長さ方向適当間隔おきに配設された複数個のヒンジ単体２４Ａ〜２４Ｃから構成され、各ヒンジ単体２４Ａ〜２４Ｃは、上側パネル部５ｂの隣り合う２本の縦線材１８間において当該上側パネル部５ｂの下側辺の横線材１７ｃにかぶさる倒立Ｕ字形板２５から成り、この倒立Ｕ字形板２５の前後両側板部２５ａ，２５ｂが、上側パネル部５ｂの下側辺の横線材１７ｃを下側パネル部５ａの上側辺の横線材１５ａで支持する領域に規制するように、下側パネル部５ａの上側辺に固着されている荷役用パレットのゲートパネルにおいて、
下側パネル部５ａの上側辺の横線材１５ａは、当該下側パネル部５ａの各縦線材１６の上端の外側にのみ配設され、各ヒンジ単体２４Ａ〜２４Ｃの倒立Ｕ字形板２５は、その前側板部２５ａよりも後側板部２５ｂの方が長く且つ左右両側辺が下側パネル部５ａの縦線材１６に固着される後側板部２５ｂの下半部に対し、上側パネル部５ｂの下側辺の横線材１７ｃにかぶさる部分の横幅が狭くなっており、当該倒立Ｕ字形板２５の前側板部２５ａの下辺が下側パネル部５ａの上側辺の横線材１５ａの外側に固着されると共に、後側板部２５ｂの前記下半部の左右両側辺が、下側パネル部５ａの隣り合う２本の縦線材１６の外側に重なるのではなく当該２本の縦線材１６間に嵌まり込んだ状態で当該２本の縦線材１６に固着された構成となっている。
【発明の効果】
【０００７】
上記の本発明に係る荷役用パレットのゲートパネルによれば、従来の長尺のコイル材に代えて倒立Ｕ字形板から成る複数個のヒンジ単体を下側パネル部の上側辺に溶接などで取り付けるだけの簡単な構成でありながら、各ヒンジ単体の倒立Ｕ字形板の前後両側板部が、上側パネル部の下側辺の横線材を下側パネル部の上側辺の横線材で支持する領域に規制しているので、下側パネル部の上側辺に対し上側パネル部の下側辺が前後に遊動することが実質的になくなり、上側パネル部の下側辺が下側パネル部の上側辺に対し内外何れかに落ち込むような事態を確実に防止し、常に上側パネル部を円滑に開閉動作させることができる。しかも、各ヒンジ単体の倒立Ｕ字形板が上側パネル部の隣り合う２本の縦線材間に嵌合して、下側パネル部に対する上側パネル部の左右横方向の大きな遊びも阻止することになるので、上下両パネル部の左右横方向の相対移動を阻止するための別部材も不要である。
【０００８】
更に、上記のように上側パネル部の下側辺の横線材が下側パネル部の上側辺の横線材で支持される領域に位置が規制されているので、従来のように下側パネル部の上側辺の横線材を内外２列に並設する必要がなく、下側パネル部の上側辺の横線材を当該下側パネル部の各縦線材の上端の外側にのみ配設して、下側パネル部の使用材料を減らし、コストダウンを図ることができる。特に係る本発明の構成によれば、各ヒンジ単体の倒立Ｕ字形板の前後両側板部を下側パネル部側の１本の横線材の内外両側に当接固着する場合と比較して、当該倒立Ｕ字形板の前後両側板部間の幅を上側パネル部側の横線材の直径より適当に拡げて、上側パネル部の開閉動作を軽く円滑に行わせることができると共に、倒立Ｕ字形板の前後両側板部を下側パネル部の上側辺に溶接で固着する作業もし易くなる。更に、本発明の構成によれば、倒立Ｕ字形板の後側板部を下側パネル部の隣り合う２本の縦線材に溶接などで固着することが容易であるにもかかわらず、倒立Ｕ字形板を挟む上側パネル部側の２本の縦線材と当該倒立Ｕ字形板との間に無理な摩擦を生ぜしめないで済み、上側パネル部の開閉動作を円滑に行わせることができる。
【発明を実施するための最良の形態】
【０００９】
以下に本発明に係るゲートパネルを折り畳み自在な箱型パレットに採用した具体的実施例を添付図に基づいて説明すると、図１及び図２において、１は平面矩形の荷支持台、２，３は荷支持台１の左右両側辺から起立するサイドパネル、４は荷支持台１の後側辺から起立するバックパネル、５は荷支持台１の前側辺から起立する開閉自在なゲートパネルである。荷支持台１は、フレーム構造体６とその上に重ねて固着されたメッシュ構造体７とから構成され、フレーム構造体６の四隅近傍の下側には、脚体８が付設されている。サイドパネル２，３は、バックパネル４の左右両側辺にコイルヒンジ９を介して当該バックパネル４の内側に重ねるように折り畳み自在に連結されている。バックパネル４は、その下端から内側に直角に折曲連設された折曲底辺部１０を備えた側面視Ｌ形のもので、その折曲底辺部１０の先端においてヒンジ１１により荷支持台１上に起伏自在に連結されている。
【００１０】
ゲートパネル５は、下側パネル部５ａと、この下側パネル部５ａの上側辺にヒンジ１２によって前後開閉自在に連結された上側パネル部５ｂとから成り、下側パネル部５ａの下側辺が荷支持台１の前側辺にコイルヒンジ１３により起伏自在に連結されている。そして、垂直に起立させたゲートパネル５の下側パネル部５ａの左右両側辺上端部と上側パネル部５ｂの左右両側辺上端部とをサイドパネル２，３の前側辺に係止する４つの係止手段１４が併設されている。
【００１１】
更に詳述すると、図３及び図４に示すように、下側パネル部５ａは、複数本の横線材１５，１５ａ，１５ｂと複数本の縦線材１６とを網目が略正方形になるように配置して両者の交叉部を溶接して成るメッシュ構造のものであって、上下両側辺の横線材１５ａ，１５ｂのみ縦線材１６の上下両端の外側に配置し、残りの横線材１５は縦線材１６の内側に配置して構成している。又、上側パネル部５ｂは、複数本の横線材１７，１７ａ〜１７ｃと複数本の縦線材１８とを網目が略正方形になるように配置して両者の交叉部を溶接して成るメッシュ構造のものであって、上側辺の２本の横線材１７ａ，１７ｂは、縦線材１８の上端を前後から挟むように前後に並列配置し、下側辺の横線材１７ｃは、縦線材１８の下端の外側に配置し、残りの横線材１７は縦線材１８の内側に配置して構成している。
【００１２】
係止手段１４は従来周知のもので、上下各パネル部５ａ，５ｂの外側に取り付けられたガイド部材１９に左右横方向のスライドと自転とが可能に支持されたロックバー２０と、このロックバー２０に取り付けられた操作用ハンドル２１と、ゲートパネル５が図１及び図２に示す閉じ姿勢になったときに上下各パネル部５ａ，５ｂの左右両側辺の網目を外向きに貫通突出するようにサイドパネル２，３の前側辺に取り付けられた倒伏Ｕ字形の被係止部材２２とから構成され、ゲートパネル５が図１及び図２に示す閉じ姿勢にあるときにロックバー２０を進出させることにより、上下各パネル部５ａ，５ｂの左右両側辺の網目を外向きに貫通突出している被係止部材２２にロックバー２０の先端部が貫通して、ゲートパネル５を閉じ姿勢にロックする。操作用ハンドル２１は、手前に引き起こすことによりロックバー２０のスライド操作が可能になり、垂下させて上下各パネル部５ａ，５ｂに当接させることにより、上下各パネル部５ａ，５ｂの縦線材１６，１８と関係してロックバー２０を進出させたロック位置と退入させたロック解除位置とで位置決めできる。
【００１３】
下側パネル部５ａの下側辺と荷支持台１の前側辺とを連結するコイルヒンジ１３は、図４に示すように、荷支持台１のメッシュ構造体７における前側辺の左右方向線材、即ち、前後方向線材７ｂの前端上に配置された左右方向線材７ａと、当該左右方向線材７ａの内側に隣接してメッシュ構造体７における前後方向線材７ｂの上に載置された下側パネル部５ａの下側辺の横線材１５ｂとを内包するように、これら線材７ａ，１５ｂに沿って外嵌されている。このとき、メッシュ構造体７における前側辺の左右方向線材７ａ上には、その長さ方向の複数箇所において丸棒材２３が固着されており、この丸棒材２３がコイルヒンジ１３を支持して当該コイルヒンジ１３の垂直二次元平面上の位置を規制すると共に、下側パネル部５ａの下側辺の横線材１５ｂがメッシュ構造体７における前側辺の左右方向線材７ａを前方外側へ乗り越えて移動するのを阻止するように構成している。
【００１４】
而して、ゲートパネル５の下側パネル部５ａと上側パネル部５ｂとを連結するヒンジ１２について、図３〜図６に基づいて具体構造を説明すると、ヒンジ１２は、下側パネル部５ａの上側辺の横線材１５ａの長さ方向の中央付近と左右両端近くの合計３箇所に取り付けられたヒンジ単体２４Ａ〜２４Ｃから構成されており、これら３つのヒンジ単体２４Ａ〜２４Ｂは同一構造のものであって、上側パネル部５ｂの隣り合う２本の縦線材１８間において当該上側パネル部５ｂの下側辺の横線材１７ｃにかぶさる倒立Ｕ字形板２５から構成されている。
【００１５】
而して各ヒンジ単体２４Ａ〜２４Ｃの倒立Ｕ字形板２５は、その前側板部２５ａよりも後側板部２５ｂの方が長く、当該前側板部２５ａの下辺が下側パネル部５ａの上側辺の横線材１５ａの外側に溶接２６により固着されると共に、長い方の後側板部２５ｂの左右両側辺が下側パネル部５ａの隣り合う２本の縦線材１６に溶接２７ａ，２７ｂにより固着されている。この倒立Ｕ字形板２５の前後両側板部２５ａ，２５ｂ間の間隔は、上側パネル部５ｂの下側辺の横線材１７ｃを下側パネル部５ａの上側辺の横線材１５ａで支持する領域に規制できる間隔であって、当該横線材１７ｃの直径（横線材１５ａの直径と等しい）より少し広い。又、各ヒンジ単体２４Ａ〜２４Ｃの倒立Ｕ字形板２５は、図５Ａ及び図６に示すように、左右両側辺が下側パネル部５ａの縦線材１６に固着される後側板部２５ｂの下半部に対し、上側辺の横線材１５ａより上方に突出する部分の横幅が少し狭くなっている。
【００１６】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止手段１４を解除して、ゲートパネル５の全体又は上側パネル部５ｂのみを手前に回倒して荷収納空間の前側を開放することができる。このとき、上側パネル部５ｂの下側辺の横線材１７ｃの位置は、下側パネル部５ａの上側辺の横線材１５ａに支持される略一定位置に倒立Ｕ字形板２５によって規制されているので、当該下側辺の横線材１７ｃを中心に上側パネル部５ｂを円滑に開閉動作させることができる。この組立て状態での荷役用パレットは、図２に仮想線で示すように、上段のパレットの左右両側の脚体８を下段のパレットの左右両サイドパネル２，３の上辺に嵌合させることにより、段積みすることができる。
【００１７】
使用しない荷役用パレットは、係止手段１４を解除して荷支持台１上にゲートパネル５を重ねるように折り畳み、左右両サイドパネル２，３をバックパネル４の内側に重ねるように折り畳んだ状態で当該バックパネル４を荷支持台１上に重ねるように折り畳むことにより、荷支持台１上の高さが、最上位に位置する折り畳まれたバックパネル４の垂直姿勢にある折曲底辺部１０の高さ相当まで低くすることができる。
【００１８】
尚、上記実施形態では、ゲートパネル５が荷支持台１の一側辺（前側辺）にのみ設けられた荷役用パレットを例示したが、前後両側辺にゲートパネルを備えた荷役用パレットや、四側辺全てにゲートパネルが設けられた荷役用パレットなどにも本発明の構成を適用できる。この場合、ゲートパネルの内の特定のゲートパネルに対してのみ本発明の構成を適用することも可能である。
【図面の簡単な説明】
【００１９】
【図１】折り畳み自在な荷役用パレットの全体を示す斜視図である。
【図２】同上パレットの概略縦断側面図である。
【図３】Ａ図は同上パレットのゲートパネルの分解正面図、Ｂ図は同側面図である。
【図４】同上パレットのサイドパネルを省いた状態でのゲートパネルの開閉動作を説明する側面図である。
【図５】Ａ図は同上ゲートパネルの中間ヒンジ部の詳細を示す正面図、Ｂ図は同縦断側面図である。
【図６】図５Ａの背面図である。
【符号の説明】
【００２０】
１    荷支持台
２，３    サイドパネル
４    バックパネル
５    ゲートパネル
５ａ    下側パネル部（ゲートパネル）
５ｂ    上側パネル部（ゲートパネル）
６    荷支持台のフレーム構造体
７    荷支持台のメッシュ構造体
８    脚体
９，１１〜１３    ヒンジ
１４    係止手段
１５，１５ａ，１５ｂ    下側パネル部の横線材
１６    下側パネル部の縦線材
１７，１７ａ〜１７ｃ    上側パネル部の横線材
１８    上側パネル部の縦線材
２４Ａ〜２４Ｃ    ヒンジ単体
２５    倒立Ｕ字形板
２５ａ    倒立Ｕ字形板の前側板部
２５ｂ    倒立Ｕ字形板の後側板部
２６，２７ａ，２７ｂ    溶接
【図１】
0004858712.tif 000002
【図２】
0004858712.tif 000003
【図３】
0004858712.tif 000004
【図４】
0004858712.tif 000005
【図５】
0004858712.tif 000006
【図６】
0004858712.tif 000007